(57)【要約】【課題】カラー用センサーを用い、少ない受光素子数で位置ずれ量を精度よく算出する。【解決手段】像担持体上に主副各走査方向の各位置ずれ検出用パターンを副走査方向に並べた列を、各色について同一パターンが主走査方向に対をなすように２列形成して位置ずれ量を算出する画像形成装置であって、対の一方に光を照らす発光素子と、正反射光、拡散反射光を受光する各受光素子を有し、その差分を出力する第一センサーと、対の他方に光を照らす発光素子と、正反射光を受光する受光素子を有し、正反射光成分を出力する第二センサーを備え、両センサーを用いて対の両位置を算出して(S902,903)位置ずれ量の算出をし、位置ずれのない位置に形成された対の両位置を、両センサーを用いて検出したときの検出位置間のずれ量の指標値を記憶し、算出した両位置のずれ量が、指標値分だけ少なくなるように両位置の相対位置関係を補正後、前記算出をする(S904,905)。【選択図】図９
2013213916.tif 000002
【特許請求の範囲】
【請求項１】
基準色以外の各色について、パターンが異なる主走査方向、副走査方向の各位置ずれ検出用のレジストパターンを副走査方向に並べたパターン列を、同一パターンが主走査方向に対をなすように像担持体の像担持面上に２列形成し、対をなすレジストパターンにそれぞれ光を照射してその反射光を検出することにより、前記各色についての位置ずれ量を算出する画像形成装置であって、
前記対をなすレジストパターンの一方に対して光を照射する発光素子と、その正反射光を受光する正反射受光素子と、その拡散反射光を受光する拡散反射受光素子とを有し、両反射光成分の差分を出力する第一反射型トナー濃度センサーと、
前記対をなすレジストパターンのもう一方に対して光を照射する発光素子と、その正反射光を受光する正反射受光素子のみを有し、正反射光成分を出力する第二反射型トナー濃度センサーと、
前記第一反射型トナー濃度センサーが出力する前記差分を用いて前記一方のレジストパターンの位置を算出し、前記第二反射型トナー濃度センサーが出力する正反射光成分を用いて前記もう一方のレジストパターンの位置を算出し、算出した各位置に基づいて、前記レジストパターンについて位置ずれ量の算出をする演算手段と、
前記対をなすレジストパターンが、位置ずれのない位置に形成されている場合に、前記第一及び第二反射型トナー濃度センサーからの各出力に基づいて前記対をなすレジストパターンの各位置を検出したときに生じるべき検出位置間のずれ量を指標する指標値を記憶している記憶手段と、を備え、
前記演算手段は、算出した前記各位置間の位置ずれ量が、前記記憶手段に記憶されている指標値分だけ少なくなるように前記各位置間の相対位置関係を補正し、補正後の前記各位置を用いて前記算出をする
ことを特徴とする画像形成装置。
【請求項２】
前記第一反射型トナー濃度センサーの前記発光素子と前記正反射受光素子と前記一方との間の相対位置関係は、前記第二反射型トナー濃度センサーの前記発光素子と前記正反射受光素子と前記もう一方との間の相対位置関係と一致するように構成されている
ことを特徴とする請求項１記載の画像形成装置。
【請求項３】
前記第一反射型トナー濃度センサーの前記正反射受光素子と前記拡散反射光受光素子は、両者の受光素子の前記像担持面上における各検出位置が並ぶ方向が主走査方向になるように配置され、
前記主走査方向の位置ずれ検出用のレジストパターンは、主走査方向と非平行となるように形成され、前記副走査方向の位置ずれ検出用のレジストパターンは、主走査方向に形成されている
ことを特徴とする請求項２に記載の画像形成装置。
【請求項４】
前記基準色以外の各色には、前記発光素子から照射される光に対する拡散反射率が互いに異なる色が含まれ、
前記検出位置間のずれ量は、前記各色の拡散反射率の大きさに応じて異なり、
前記記憶手段は、前記各色のレジストパターンの拡散反射率の大きさに応じた前記検出位置間のずれ量を指標する指標値をそれぞれ記憶し、
前記演算手段は、前記対をなすレジストパターンの色の拡散反射率の大きさに応じた前記検出位置間のずれ量を指標する指標値を用いて前記各位置間の相対位置関係を補正する
ことを特徴とする請求項１〜３の何れかに記載の画像形成装置。
【請求項５】
前記第一反射型トナー濃度センサーは、画像安定化制御が行われる際に、前記像担持面上に形成される、カラー色のパッチトナー像のトナー濃度の検出にも兼用される
ことを特徴とする請求項１〜４の何れかに記載の画像形成装置。
【請求項６】
前記第二反射型トナー濃度センサーは、画像安定化制御が行われる際に、前記像担持面上に形成される、黒のパッチトナー像のトナー濃度の検出にも兼用される
ことを特徴とする請求項１〜５の何れかに記載の画像形成装置。
【発明の詳細な説明】
【技術分野】
【０００１】
本発明は、プリンター、複写機等の画像形成装置に関し、特に画像形成装置の像担持体の像担持面上に所定形状のレジストパターンを形成してその位置ずれ量を算出し、算出結果に基づいて露光タイミングなど画像形成タイミングを補正するレジスト補正を行う技術に関する。
【背景技術】
【０００２】
カラー印刷が可能な画像形成装置においては、通常、Ｙ（イエロー）、Ｍ（マゼンダ）、Ｃ（シアン）、Ｋ（黒）の各色の単色画像を感光体ドラム、中間転写ベルト等の像担持体の像担持面上で重ね合わせてカラー画像を形成している。この単色画像を重ね合わせる位置がずれると、色ずれが生じてしまう。
このため、上記のような画像形成装置においては、所定の時期（例えば、電源オン時）に各色の単色画像の位置ずれ量を算出し、算出結果に基づいて露光タイミングなど画像形成タイミングを補正するレジスト補正が行われる。具体的には、像担持体の像担持面上に所定形状の各色の位置ずれを検出するためのトナー像のパターン（以下、「レジストパターン」という。）が像担持面上に形成された後、レジストパターンの位置が光学センサー（例えば、反射型トナー濃度センサー）により検出され、その検出結果に基づいて、各色のレジストパターンの位置ずれ量を算出して露光タイミングなど画像形成タイミングを補正するレジスト補正が行われる。
【０００３】
このレジストパターンの位置を検出する方法としては、発光素子と正反射光受光素子とを備える反射型トナー濃度センサーを用いてレジストパターンに発光素子から光を照射し、その正反射光を正反射光受光素子で検出する方法と、発光素子と拡散反射光受光素子を備える反射型トナー濃度センサーを用い、その拡散反射光を拡散反射光受光素子で検出する方法が利用されている。
【０００４】
拡散反射光は、得られる光量が正反射光に比べ少ないため、後者の方法は、前者の方法に比べ、検出精度が劣る。又、拡散反射光の光量を増やし、前者の方法の場合と同様の検出精度を得るためには、発光素子として大きな光源が必要になり、その分、製造コストが高くなる。さらに、後者の方法では、像担持面の表面状態や色等の影響を受けやすく、検出条件が制約される。
【０００５】
一方、前者の方法では、発光素子として大きな光源を必要とせず、少ない照射量でレジストパターンの位置を検出可能な正反射光の光量を得ることができる。又、像担持面の表面状態や色等に左右されることがなく、検出条件の制約が少ない。従って、レジストパターンの位置を検出する方法としては、前者の方法を用いる方が好ましい。例えば、特許文献１には、前者の方法を用いて、レジストパターンの位置を検出してレジスト補正を行う技術が開示されている。
【０００６】
これにより、レジストパターンの位置ずれ量を精度よく算出し、その算出結果に基づいて露光タイミングなど画像形成タイミングを適切に補正することができ、色ずれのないカラー画像を像担持面上に形成させることができる。
又、レジストパターンの位置の検出に用いられる反射型トナー濃度センサーは、画像安定化制御において画像濃度を調整するためのパッチトナー像（Ｙ、Ｍ、Ｃ、Ｋの各色のパッチトナー像）のトナー濃度測定用にも兼用されることが多い。図１１（ａ）は、正反射光を検出する反射型トナー濃度センサーを用いてＫ色のパッチトナー像のトナー濃度を測定した場合のトナー濃度とセンサー出力電圧との関係を模式的に示す出力特性曲線である。
【０００７】
同図に示すように、Ｋ色の場合には、正反射光を検出する反射型トナー濃度センサーを用いてトナー濃度を測定した場合に、低濃度側から高濃度側の領域まで、トナー濃度が増大するに従ってセンサー出力電圧が低下してゆく出力特性曲線を得ることができる。従って、Ｋ色については、正反射光を検出する反射型トナー濃度センサーを、Ｋ色のパッチトナー像のトナー濃度測定用にも兼用することができる。
【０００８】
図１１（ｂ）は、正反射光を検出する反射型トナー濃度センサーと、拡散反射光を検出する反射型トナー濃度センサーをそれぞれ用いてＹ、Ｍ、Ｃ色のようなカラー色のパッチトナー像のトナー濃度をそれぞれ測定した場合のトナー濃度とセンサー出力電圧との関係を模式的に示す出力特性曲線である。同図の符号Ｐは、正反射光を検出する反射型トナー濃度センサーを用いて測定した場合に得られる出力特性曲線を示し、符号Ｑは、拡散反射光を検出する反射型トナー濃度センサーを用いて測定した場合に得られる出力特性曲線を示す。
【０００９】
出力特性曲線Ｐが示すように、トナー濃度が低濃度側の領域では、トナー濃度が増大するに従って、正反射光のセンサー出力電圧が低下してゆく。そして、トナー濃度が高濃度になるに従って、出力特性曲線Ｑが示すように、拡散反射光のセンサー出力電圧が徐々に増加し、その影響で、出力特性曲線Ｐの高濃度側の領域においては、正反射光のセンサー出力電圧が、トナー濃度の増加に応じて低下せず、逆に徐々に上昇する。従って、Ｙ、Ｍ、Ｃ色のようなカラー色の場合には、正反射光を検出する反射型トナー濃度センサーでは、トナー濃度の高濃度側の領域を精度よく測定することができず、このような正反射光測定用のトナー濃度センサーをカラー色のパッチトナー像のトナー濃度測定にも兼用して用いることは測定精度上好ましくない。
【００１０】
この拡散反射光の影響をなくすため、発光素子と、正反射光受光素子と拡散反射光受光素子の２つの反射光受光素子とを備える反射型トナー濃度センサーを用いて正反射光と拡散反射光との差分を検出するようにすると、図１１（ｃ）に示すように、トナー濃度が高濃度側の領域まで、トナー濃度が増大するに従ってセンサー出力電圧が低下してゆく出力特性曲線を得ることができる。
【００１１】
図１１（ｃ）は、正反射光と拡散反射光の差分を検出する反射型トナー濃度センサーと、正反射光を検出する反射型トナー濃度センサーと、拡散反射光を検出する反射型トナー濃度センサーを用いてＹ、Ｍ、Ｃ色のようなカラー色のパッチトナー像のトナー濃度をそれぞれ測定した場合のトナー濃度とセンサー出力電圧との関係を模式的に示す出力特性曲線である。
【００１２】
同図の符号Ｐ'は、正反射光を検出する反射型トナー濃度センサーを用いて測定した場合の両者の関係を示す出力特性曲線を示し、符号Ｑ'は、拡散反射光を検出する反射型トナー濃度センサーを用いて測定した場合の両者の関係を示す出力特性曲線を示し、符号Ｒは、正反射光と拡散反射光の差分を検出する反射型トナー濃度センサーを用いて測定した場合の両者の関係を示す出力特性曲線を示す。
【００１３】
出力特性曲線Ｒが示すように、正反射光と拡散反射光の差分をとると、トナー濃度が高濃度側の領域まで、トナー濃度が増大するに従ってセンサー出力電圧が低下してゆく出力特性曲線を得ることができる。
このように、正反射光と拡散反射光の差分を検出する反射型トナー濃度センサーを用いた場合には、レジストパターンの位置ずれ量を精度よく算出しつつ、Ｙ、Ｍ、Ｃ色のようなカラー色のパッチトナー像のトナー濃度測定にも兼用して用いることができる。
【００１４】
又、Ｋ色の場合には、拡散反射光が生じないため、正反射光と拡散反射光の差分を検出する反射型トナー濃度センサーを用いてパッチトナー像を測定した場合には、正反射光成分のみが出力されることになり、図１１（ａ）の出力特性曲線と同様の出力特性曲線が得られるので、当該反射型トナー濃度センサーをＫ色のレジストパターンの位置の検出とパッチトナー像のトナー濃度測定とに兼用して用いることができる。
【００１５】
例えば、特許文献２には、発光素子と正反射光受光素子と拡散反射光受光素子と、を備え、正反射光成分と拡散反射光成分をそれぞれ検出し、両者の差分を出力する反射型トナー濃度センサーが開示されている。
【先行技術文献】
【特許文献】
【００１６】
【特許文献１】特開２００１―３１２１１６号公報
【特許文献２】特開２００８−１３９５９２号公報
【発明の概要】
【発明が解決しようとする課題】
【００１７】
しかしながら、上記の従来技術のように、２つの受光素子を備える反射型トナー濃度センサーを兼用して用いると、レジストパターンの位置の検出用に少なくとも２つの反射型トナー濃度センサーが必要となるため、受光素子が１つの反射型トナー濃度センサー（正反射光受光素子のみを備える反射型トナー濃度センサー）を用いた場合と比較すると、受光素子数が２つ多くなり、その分、製造コストが高くなるという問題が生じる。
【００１８】
本発明は、上述のような問題に鑑みて為されたものであって、カラー色のトナー濃度を精度よく測定することが可能なトナー濃度センサーを用いつつ、少ない受光素子数でレジストパターンの位置ずれ量を精度よく算出することが可能な画像形成装置を提供することを目的とする。
【課題を解決するための手段】
【００１９】
上記目的を達成するため、本発明の一形態に係る画像形成装置は、基準色以外の各色について、パターンが異なる主走査方向、副走査方向の各位置ずれ検出用のレジストパターンを副走査方向に並べたパターン列を、同一パターンが主走査方向に対をなすように像担持体の像担持面上に２列形成し、対をなすレジストパターンにそれぞれ光を照射してその反射光を検出することにより、前記各色についての位置ずれ量を算出する画像形成装置であって、前記対をなすレジストパターンの一方に対して光を照射する発光素子と、その正反射光を受光する正反射受光素子と、その拡散反射光を受光する拡散反射受光素子とを有し、両反射光成分の差分を出力する第一反射型トナー濃度センサーと、前記対をなすレジストパターンのもう一方に対して光を照射する発光素子と、その正反射光を受光する正反射受光素子のみを有し、正反射光成分を出力する第二反射型トナー濃度センサーと、前記第一反射型トナー濃度センサーが出力する前記差分を用いて前記一方のレジストパターンの位置を算出し、前記第二反射型トナー濃度センサーが出力する正反射光成分を用いて前記もう一方のレジストパターンの位置を算出し、算出した各位置に基づいて、前記レジストパターンについて位置ずれ量の算出をする演算手段と、前記対をなすレジストパターンが、位置ずれのない位置に形成されている場合に、前記第一及び第二反射型トナー濃度センサーからの各出力に基づいて前記対をなすレジストパターンの各位置を検出したときに生じるべき検出位置間のずれ量を指標する指標値を記憶している記憶手段と、を備え、前記演算手段は、算出した前記各位置間の位置ずれ量が、前記記憶手段に記憶されている指標値分だけ少なくなるように前記各位置間の相対位置関係を補正し、補正後の前記各位置を用いて前記算出をすることを特徴とする。
【００２０】
ここで、前記第一反射型トナー濃度センサーは、画像安定化制御が行われる際に、前記像担持面上に形成される、カラー色のパッチトナー像のトナー濃度の検出にも兼用されることとすることができる。又、前記第二反射型トナー濃度センサーは、画像安定化制御が行われる際に、前記像担持面上に形成される、黒のパッチトナー像のトナー濃度の検出にも兼用されることとすることができる。
【発明の効果】
【００２１】
上記構成を備えることにより、受光素子数の異なる反射型トナー濃度センサーを用いた場合においても、両者の検出位置間に生じるべき検出位置間のずれ量が、相殺されるように、対をなすレジストパターンについて両者のトナー濃度センサーを用いて算出された各レジストパターンの位置が補正され、補正後の各レジストパターンの位置を用いて当該レジストパターンの位置ずれ量が算出されるので、同じ構成の反射型トナー濃度センサーを用いて当該位置ずれ量を算出した場合と同様に、精度よく位置ずれ量を算出することができる。
【００２２】
その結果、位置ずれ量の算出精度を落とすことなく、カラー色のトナー濃度を精度よく測定することが可能な、正反射光成分と拡散反射光成分の差分を出力する第一反射型トナー濃度センサーを２つ用いて位置ずれ量を算出する場合よりも、受光素子数を少なくすることができ、その分、製造コストを節減することができる。
ここで、前記第一反射型トナー濃度センサーの前記発光素子と前記正反射受光素子と前記一方との間の相対位置関係は、前記第二反射型トナー濃度センサーの前記発光素子と前記正反射受光素子と前記もう一方との間の相対位置関係と一致するように構成されていることとしてもよい。
【００２３】
これにより、構成の異なる２つの反射型トナー濃度センサー間において、発光素子、正反射光受光素子、検出対象となるレジストパターン間の相対位置関係がそれぞれ一致するように構成されるので、検出位置間のずれ量の内、当該相対位置関係の差に起因する位置ずれが生じるのを防止することができ、その分、検出位置間のずれ量をより少なくすることができ、レジストパターンの位置ずれ量の算出精度をより高めることができる。
【００２４】
さらに、前記第一反射型トナー濃度センサーの前記正反射受光素子と前記拡散反射光受光素子は、両者の受光素子の前記像担持面上における各検出位置が並ぶ方向が主走査方向になるように配置され、前記主走査方向の位置ずれ検出用のレジストパターンは、主走査方向と非平行となるように形成され、前記副走査方向の位置ずれ検出用のレジストパターンは、主走査方向に形成されていることとしてもよい。
【００２５】
これにより、第一反射型トナー濃度センサーの正反射受光素子の検出位置と拡散反射光受光素子の両者の検出位置が並ぶ方向と、副走査方向の位置ずれ検出用のレジストパターンの形成方向とがともに同じ主走査方向になるように構成されるので、両受光素子間で、当該レジストパターンから反射される正反射光と拡散反射光の受光タイミングに時間差が生じないようにすることができ、副走査方向の位置ずれ検出用のレジストパターンについての検出位置間のずれ量をなくすことができ、当該レジストパターンの位置ずれ量の算出精度を高めることができる。
【００２６】
ここで、前記基準色以外の各色には、前記発光素子から照射される光に対する拡散反射率が互いに異なる色が含まれ、前記検出位置間のずれ量は、前記各色の拡散反射率の大きさに応じて異なり、前記記憶手段は、前記各色のレジストパターンの拡散反射率の大きさに応じた前記検出位置間のずれ量を指標する指標値をそれぞれ記憶し、前記演算手段は、前記対をなすレジストパターンの色の拡散反射率の大きさに応じた前記検出位置間のずれ量を指標する指標値を用いて前記各位置間の相対位置関係を補正することとしてもよい。
【００２７】
これにより、発光素子から照射される光に対する拡散反射率が互いに異なる色が含まれ、拡散反射率の大きさに応じて対をなすレジストパターン間の検出位置間のずれ量が異なる場合には、位置ずれ量の算出対象となるレジストパターンの色の拡散反射率の大きさに応じた指標値を用いて対をなすレジストパターンの各位置間の相対位置関係が補正されるので、各色の拡散反射率の大きさの差に起因して各色間の検出位置間のずれ量に差が生じる場合においても精度よくレジストパターンの位置ずれ量を算出することができる。
【図面の簡単な説明】
【００２８】
【図１】プリンター１の構成を示す図である。
【図２】制御部６０の構成と制御部６０による制御対象となる主構成要素との関係を示す図である。
【図３】パターン形成部６０６によって中間転写ベルト１１の像担持面上に形成されたレジストパターンの具体例を示す。
【図４】黒用反射型トナー濃度センサー１４ａ、カラー用反射型トナー濃度センサー１４ｂをそれぞれ用いて検出したＹ色の副走査方向パターン（図３のパターン列Ｐａ、ＰｂのＹ色の副走査方向パターン）の出力波形の例を示す。
【図５】中間転写ベルト１１の像担持面上において主走査方向に対をなすように形成された２つのＹ色の副走査方向パターン（図３のパターン列Ｐａ、ＰｂのＹ色の副走査方向パターン）に対する、黒用反射型トナー濃度センサー１４ａ、カラー用反射型トナー濃度センサー１４ｂの各受光素子の検出位置の相対位置関係を示す模式図である。
【図６】黒用反射型トナー濃度センサー１４ａ、カラー用反射型トナー濃度センサー１４ｂをそれぞれ用いて検出したＹ色の主走査方向パターン（図３のパターン列Ｑａ、ＱｂのＹ色の主走査方向パターン）の出力波形の例を示す。
【図７】中間転写ベルト１１の像担持面上において主走査方向に対をなすように形成された２つのＹ色の主走査方向パターン（図３のパターン列Ｑａ、ＱｂのＹ色の主走査方向パターン）に対する、黒用反射型トナー濃度センサー１４ａ、カラー用反射型トナー濃度センサー１４ｂの各受光素子の検出位置の相対位置関係を示す模式図である。
【図８】制御部６０が行う副走査方向位置ずれ量算出処理の動作を示すフローチャートである。
【図９】制御部６０が行う主走査方向位置ずれ量算出処理の動作を示すフローチャートである。
【図１０】照射光の波長と、Ｙ、Ｍ、Ｃの各色の拡散反射率との対応関係を示すグラフである。
【図１１】正反射光を検出する反射型トナー濃度センサー、拡散反射光を検出する反射型トナー濃度センサー、正反射光と拡散反射光の差分を検出する反射型トナー濃度センサーをそれぞれ用いて各色のパッチトナー像のトナー濃度を測定した場合のトナー濃度とセンサー出力電圧との関係を模式的に示す出力特性曲線である。
【発明を実施するための形態】
【００２９】
(実施の形態)
以下、本発明に係る一形態の画像形成装置の実施の形態を、タンデム型カラーデジタルプリンター（以下、単に「プリンター」という。）に適用した場合を例にして説明する。
［１］プリンターの構成
先ず、本実施の形態に係るプリンター１の構成について説明する。図１は、本実施の形態に係るプリンター１の構成を示す図である。同図に示すように、このプリンター１は、画像プロセス部３、給紙部４、定着装置５、制御部６０を備えている。
【００３０】
プリンター１は、ネットワーク（例えばＬＡＮ）に接続され、外部の端末装置（不図示）や図示しない操作パネルから印刷指示を受け付けると、その指示に基づいてイエロー、マゼンタ、シアンおよびブラックの各色のトナー像を形成し、これらを多重転写してフルカラーの画像を形成することにより、記録シートへの印刷処理を実行する。
以下、イエロー、マゼンタ、シアン、ブラックの各色をＹ、Ｍ、Ｃ、Ｋと表し、各色に関連する構成要素の番号にこのＹ、Ｍ、Ｃ、Ｋを添字として付加する。画像プロセス部３は、作像部３Ｙ、３Ｍ、３Ｃ、３Ｋ、露光部１０、中間転写ベルト１１、２次転写ローラー４５などを有している。中間転写ベルト１１の回動方向（矢印Ｈ方向）において作像部３Ｋの下流側には、後述する反射型トナー濃度センサー１４ａ（黒用反射型トナー濃度センサー１４ａ）、１４ｂ（カラー用反射型トナー濃度センサー１４ｂ）が中間転写ベルト１１の幅方向の両側にそれぞれ配置されている。
【００３１】
作像部３Ｙ、３Ｍ、３Ｃ、３Ｋの構成は、いずれも同様の構成であるため、以下、主として作像部３Ｙの構成について説明する。作像部３Ｙは、感光体ドラム３１Ｙと、その周囲に配設された帯電器３２Ｙ、現像器３３Ｙ、１次転写ローラー３４Ｙ、および感光体ドラム３１Ｙの像担持面を清掃するためのクリーナー３５Ｙなどを有しており、感光体ドラム３１Ｙの像担持面上にＹ色のトナー像を作像する。
【００３２】
現像器３３Ｙは、感光体ドラム３１Ｙの像担持面に対向し、像担持面に帯電トナーを搬送する。中間転写ベルト１１は、無端状のベルトであり、駆動ローラー１２と従動ローラー１３に張架されて矢印Ｃ方向に回動される。又、従動ローラー１３の近傍には、中間転写ベルトの像担持面上に残留するトナーを除去するためのクリーナー２１が配置されている。
【００３３】
露光部１０は、レーザダイオードなどの発光素子を備え、制御部６０からの駆動信号によりＹ〜Ｋ色の画像形成のためのレーザ光Ｌを発し、作像部３Ｙ、３Ｍ、３Ｃ、３Ｋの各感光体ドラムの像担持面を露光走査する。この露光走査により、帯電器３２Ｙにより帯電された感光体ドラム３１Ｙの像担持面上に静電潜像が形成される。作像部３Ｍ、３Ｃ、３Ｋの各感光体ドラムの像担持面上にも同様にして静電潜像が形成される。
【００３４】
各感光体ドラムの像担持面上に形成された静電潜像は、作像部３Ｙ、３Ｍ、３Ｃ、感３Ｋの各現像器により現像されて各感光体ドラムの像担持面上に対応する色のトナー像が形成される。形成されたトナー像は、作像部３Ｙ、３Ｍ、３Ｃ、３Ｋの各１次転写ローラー（図１では、作像部３Ｙに対応する１次転写ローラーのみ符号３４Ｙを付し、他の１次転写ローラーについては、符号を省略している。）により、中間転写ベルト１１の像担持面上の同じ位置に重ね合わされるように、中間転写ベルト１１の像担持面上にタイミングをずらして順次1次転写された後、２次転写ローラー４５による静電力の作用により中間転写ベルト１１の像担持面
上のトナー像が一括して記録シート上に２次転写される。トナー像が２次転写された記録シートは、さらに定着装置５に搬送され、記録シート上のトナー像（未定着画像）が、定着装置５において加熱及び加圧されて記録シートに熱定着された後、排出ローラー７１により排紙トレイ７２に排出される。
【００３５】
給紙部４は、記録シート（図１の符号Ｓで表す）を収容する給紙カセット４１と、給紙カセット４１内の記録シートを搬送路４３上に１枚ずつ繰り出す繰り出しローラー４２と、繰り出された記録シートを２次転写位置４６に送り出すタイミングをとるためのタイミングローラー４４などを備えている。給紙カセットは、１つに限定されず、複数であってもよい。
【００３６】
記録シートとしては、大きさや厚さの異なる用紙（普通紙、厚紙）やＯＨＰシートなどのフィルムシートを利用できる。給紙カセットが複数ある場合には、異なる大きさ又は厚さ又は材質の記録シートを複数の給紙カセットに収納することとしてもよい。
繰り出しローラー４２、タイミングローラー４４等の各ローラーは、搬送モーター（不図示）を動力源とし、歯車ギヤやベルトなどの動力伝達機構（不図示）を介して回転駆動される。この搬送モーターとしては、例えば、高精度の回転速度の制御が可能なステッピングモーターが使用される。
【００３７】
記録シートは、中間転写ベルト１１の像担持面上のトナー像の移動タイミングに合わせて給紙部４から２次転写位置４６に搬送され、２次転写ローラー４５により中間転写ベルト１１の像担持面上のトナー像が一括して記録シート上に２次転写される。
定着装置５は、加熱ローラー５１、加熱ローラー５１を押圧して加熱ローラー５１と定着ニップを形成する加圧ローラー５２、加熱ローラー５１の外周面の近傍に配置され、加熱ローラー５１の外周面の表面温度を検出する温度センサー５３等から構成される。
【００３８】
加熱ローラー５１の内部には、不図示のヒーターが配置され、ヒーターのオン・オフが制御部６０によって切替えられることにより、加熱ローラー５１の表面温度が所定の温度になるように制御される。なお、定着装置の加熱方式は、上記のような熱ローラー方式に限定されず、例えば、電磁誘導加熱方式であってもよいし、抵抗発熱体による加熱方式であってもよい。温度センサー５３は、非接触型の温度センサーであり、例えば、サーモパイル、非接触型サーミスタ、ＮＣセンサー等を用いることができる。
【００３９】
［２］制御部の構成
図２は、制御部６０の構成と制御部６０による制御対象となる主構成要素との関係を示す図である。制御部６０は、所謂コンピュータであって、同図に示されるように、ＣＰＵ（Central Processing Unit）６０１、通信インターフェース（Ｉ／Ｆ）部６０２、ＲＯＭ（Read Only Memory）６０３、ＲＡＭ（Random Access Memory）６０４、画像データ記憶部６０５、パターン形成部６０６、パターン列間位置ずれ量記憶部６０７、位置ずれ補正量演算部６０８、位置ずれ補正量記憶部６０９、位置ずれ補正実行部６１０などを備える。
【００４０】
通信Ｉ／Ｆ部６０２は、ＬＡＮカード、ＬＡＮボードといったＬＡＮに接続するためのインターフェースである。ＲＯＭ６０３には、画像プロセス部３、給紙部４、定着装置５、操作パネル７、画像読取部８、黒用反射型トナー濃度センサー１４ａ、カラー用反射型トナー濃度センサー１４ｂ等を制御するためのプログラム、後述する主走査方向位置ずれ量算出処理、副走査方向位置ずれ量算出処理をそれぞれ実行するプログラムなどが格納されている。
【００４１】
ＲＡＭ６０４は、ＣＰＵ６０１のプログラム実行時のワークエリアとして用いられる。
画像データ記憶部６０５は、通信Ｉ／Ｆ部６０２や画像読取部８を介して入力された、印刷用の画像データを記憶している。パターン形成部６０６は、ＲＯＭ６０２に予め記憶されているパターン画像を読み出して、中間転写ベルト１１の像担持面上にＹ、Ｍ、Ｃの各色の位置ずれを検出するための所定形状のトナー像のパターン（以下、「レジストパターン」という。）を形成する。
【００４２】
図３は、パターン形成部６０６によって中間転写ベルト１１の像担持面上に形成されたレジストパターンの具体例を示す。同図に示すように、中間転写ベルト１１の像担持面の主走査方向（回動方向（同図の白矢印Ｈ方向）と直交する方向）に、同一色で同一パターンのレジストパターンが対をなすように、Ｋ、Ｙ、Ｍ、Ｃの各色のレジストパターンのパターン列が副走査方向（像担持面の回動方向（同図の白矢印Ｃ方向））に２列形成される。
【００４３】
同図の符号Ｐａ、Ｐｂは、基準色（Ｋ色）以外の各色（Ｙ、Ｍ、Ｃの各色）の副走査方向の位置ずれを検出するための、基準色を含む各色（Ｋ、Ｙ、Ｍ、Ｃの各色）のレジストパターン（以下、「副走査方向パターン」という。）のパターン列を示す。
そして同図の符号Ｑａ、Ｑｂは、基準色（Ｋ色）以外の各色（Ｙ、Ｍ、Ｃの各色）の主走査方向の位置ずれを検出するための、基準色を含む各色（Ｋ、Ｙ、Ｍ、Ｃの各色）のレジストパターン（以下、「主走査方向パターン」という。）のパターン列を示す。ここでは、副走査方向パターンは、主走査方向に形成され、主走査方向パターンは、主走査方向に対し、４５°傾いた方向に形成されている。
【００４４】
又、同図の符号１４ａは、黒用反射型トナー濃度センサーを示し、符号１４ｂは、カラー用反射型トナー濃度センサーを示す。両反射型トナー濃度センサーは、中間転写ベルト１１の幅方向の両端部側において像担持面と対向するようにそれぞれ配置されている。
黒用反射型トナー濃度センサー１４ａは、中間転写ベルト１１の像担持面上に主走査方向に対をなす各色の同一の２つのレジストパターンの内の一方のレジストパターンを検出し、カラー用反射型トナー濃度センサー１４ｂは、もう一方のレジストパターンを検出する。
【００４５】
黒用反射型トナー濃度センサー１４ａは、符号１４１ａで示すＬＥＤ発光素子と、符号１４２ａで示す受光素子であるフォトダイオードとを備える。黒用反射型トナー濃度センサー１４ａは、ＬＥＤ発光素子１４１ａからレジストパターンに対してＬＥＤ光を照射し、その正反射光を受光素子１４２ａで受光し、受光した正反射光に応じた電圧信号を制御部６０に出力する。
【００４６】
又、黒用反射型トナー濃度センサー１４ａは、画像安定化制御において画像濃度を調整するために形成される、トナー濃度の異なる、複数のＫ色のパッチトナー像のトナー濃度を検出し、検出結果を制御部６０に出力する。
カラー用反射型トナー濃度センサー１４ｂは、符号１４１ｂで示すＬＥＤ発光素子と、符号１４２ｂ、１４３ｂで示す受光素子であるフォトダイオードとを備え、受光素子１４２ｂ、１４３ｂの中間転写ベルト１１の像担持面上における検出位置が並ぶ方向が、主走査方向になるように構成されている。
【００４７】
カラー用反射型トナー濃度センサー１４ｂは、ＬＥＤ発光素子１４１ｂからレジストパターンに対してＬＥＤ光を照射し、その正反射光を受光素子１４２ｂで、その拡散反射光を受光素子１４３ｂでそれぞれ受光し、受光した正反射光に応じた電圧信号と、受光した拡散反射光に応じた電圧信号との差分の電圧信号を制御部６０に出力する。
又、カラー用反射型トナー濃度センサー１４ｂは、画像安定化制御において画像濃度を調整するために、Ｙ、Ｍ、Ｃの各色について形成されるトナー濃度の異なる、複数のパッチトナー像のトナー濃度を検出し、検出結果を制御部６０に出力する。なお、Ｋ色のパッチトナー像のトナー濃度の検出もカラー用反射型トナー濃度センサー１４ｂが行うこととしてもよい。
【００４８】
黒用反射型トナー濃度センサー１４ａのＬＥＤ発光素子１４１ａと受光素子１４２ａと当該トナー濃度センサーによって検出される、主走査方向に対をなしている同一色で同一パターンの各色のレジストパターンの内の一方との間の相対位置関係は、カラー用反射型トナー濃度センサー１４ｂのＬＥＤ発光素子１４１ｂと受光素子１４２ｂと当該トナー濃度センサーによって検出される、主走査方向に対をなしている同一色で同一パターンの各色のレジストパターンの内のもう一方との間の相対位置関係と一致するように、両者のトナー濃度センサーの配置位置が決められている。
【００４９】
図２の説明に戻って、パターン列間位置ずれ量記憶部６０７は、パターン列間位置ずれ誤差量を記憶している。ここで、「パターン列間位置ずれ誤差量」とは、主走査方向に対をなすように形成される同一色で同一パターンのレジストパターンがそれぞれ位置ずれのない位置に形成されている場合において、両者の反射型トナー濃度センサーを用いて両者の位置（後述する重心位置）を検出したときに両者の検出位置間に生じる検出位置間のずれ量、すなわち、同一色で同一パターンの両者のレジストパターンを検出する、反射型トナー濃度センサーの構成が異なることにより生じる位置ずれ誤差量のことをいう。
【００５０】
図４（ａ）は、黒用反射型トナー濃度センサー１４ａを用いて検出したＹ色の副走査方向パターン（図３のパターン列ＰａのＹ色の副走査方向パターン）の出力波形の例を示し、図４（ｂ）は、カラー用反射型トナー濃度センサー１４ｂを用いて検出したＹ色の副走査方向パターン（図３のパターン列ＰｂのＹ色の副走査方向パターン）の出力波形の例を示す。両図において、縦軸は各センサーの出力電圧を示し、横軸は時間を示す。
【００５１】
図４（ａ）の符号Ａ、Ｂ、Ｃは、後述する図５のＹ色の副走査方向パターンに対する黒用反射型トナー濃度センサー１４ａの受光素子１４２ａの検出位置に対応する時間座標上の各時間位置を示す。同様に、図４（ｂ）の符号Ａ'、Ｂ'、Ｃ'は、後述する図５のＹ色の副走査方向パターンに対するカラー用反射型トナー濃度センサー１４ｂの受光素子１４２ｂ、１４３ｂの検出位置に対応する時間座標上の各時間位置を示す。
【００５２】
図４（ｂ）の符号Ｐは、Ｙ色の副走査方向パターンについての正反射光成分の出力波形を、符号Ｑは、当該パターンについての拡散反射光成分の出力波形を、符号Ｒは、当該パターンについての両者の反射光成分の差分の出力波形（正反射光成分と拡散反射光成分の差分の出力波形）を示す。
図５は、中間転写ベルト１１の像担持面上において主走査方向に対をなすように形成された２つのＹ色の副走査方向パターン（図３のパターン列Ｐａ、ＰｂのＹ色の副走査方向パターン）に対する、黒用反射型トナー濃度センサー１４ａ、カラー用反射型トナー濃度センサー１４ｂの各受光素子の検出位置の相対位置関係を示す模式図である。
図５の左側は、パターン列ＰａのＹ色の副走査方向パターン（ハッチングで示す部分）に対する黒用反射型トナー濃度センサー１４ａの受光素子１４２ａの検出位置の相対位置関係を示し、図５の右側は、パターン列ＰｂのＹ色の副走査方向パターン（ハッチングで示す部分）に対するカラー用反射型トナー濃度センサー１４ｂの受光素子１４２ｂ及び１４３ｂの各検出位置の相対位置関係を示す。
【００５３】
図５の符号１１は、中間転写ベルトを示し、同図の矢印Ｈは、中間転写ベルト１１の回動方向（副走査方向）を示し、各受光素子の検出位置は、中間転写ベルト１１の回動に応じて回動方向と逆方向に相対的に移動する。同図の副走査方向に並んだ各丸印（黒丸印、白丸印）の列Ｌ、Ｍ、Ｎ（列Ｌは、受光素子１４２ａの検出位置の列を、列Ｍは、受光素子１４３ｂの検出位置の列を、列Ｎは、受光素子１４２ｂの検出位置の列をそれぞれ表す。）は、各検出位置が当該逆方向（同図の点線矢印で示す方向）に相対的に移動する各移動位置を示している。
【００５４】
同図の符号１４ａは、黒用反射型トナー濃度センサー示し、同図の符号１４ｂは、カラー用反射型トナー濃度センサー１４ｂを示す。同図の符号１４１ａ及び符号１４１ｂは、ＬＥＤ発光素子を示し、符号１４２ａ及び１４２ｂは、正反射光を受光する受光素子を示し、符号１４３ｂは、拡散反射光を受光する受光素子を示す。
列Ｌの黒丸で示す検出位置は、時間座標上の時間位置がＡの位置では、Ｙ色の副走査方向パターン（ハッチングで示す部分）の手前の位置にあるため、図４（ａ）に示す出力波形の時間座標上の時間位置Ａでは、センサー出力電圧は低下していないが、当該時間座標上の時間位置がＢの位置では、Ｙ色の副走査方向パターン（ハッチングで示す部分）の副走査方向の中央部に到達するため、図４（ａ）に示す出力波形の時間座標上の時間位置Ｂでは、センサー出力電圧は低下して最小値に達する。このときの時間位置Ｂを「重心位置」という。ここで、「重心位置」とは、レジストパターンの出力波形のセンサー出力電圧値の最大値と最小値の中間値をＭとするとき、出力波形のセンサー出力電圧がＭ以下の領域における重心に対応する時間座標上の時間位置のことをいう。
【００５５】
さらに、当該時間座標上の時間位置がＣの位置では、副走査方向パターン（ハッチングで示す部分）の副走査方向後端を通過するため、図４（ａ）に示す出力波形の時間座標上の時間位置Ｃでは、センサー出力電圧は、最大値まで上昇する。このようにして、Ｙ色の副走査方向パターンが黒用反射型トナー濃度センサー１４ａにより検出されると、図４（ａ）に示すような出力波形が得られる。
【００５６】
又、黒用反射型トナー濃度センサー１４ａのＬＥＤ発光素子１４１ａと受光素子１４２ａとＹ色の副走査方向パターンとの間の相対位置関係は、カラー用反射型トナー濃度センサー１４ｂのＬＥＤ発光素子１４１ｂと受光素子１４２ｂとＹ色の副走査方向パターンとの間の相対位置関係と一致するように構成されているので、図５の列Ｎの黒丸で示す受光素子１４２ｂの検出位置についても、列Ｌの場合と同様に、各検出位置の時間座標上の時間位置が、時間位置Ａ、Ｂ、Ｃにそれぞれ対応する時間位置であるＡ'、Ｂ'、Ｃ'の各時間位置に順次移行することにより、センサー出力電圧が同様に変化し、図４（ｂ）の符号Ｐに示すように図４（ａ）に示す出力波形と同じ出力波形が得られる。そして図５の左右両側のＹ色の副走査方向パターンに位置ずれがない場合には、両者の重心位置ＢとＢ'は一致する。
【００５７】
又、図５の列Ｎの黒丸で示す受光素子１４２ｂの検出位置と列Ｍの白丸で示す受光素子１４３ｂの検出位置とは、主走査方向に並ぶように構成されているので、受光素子１４２ｂの検出位置の時間座標上の時間位置が重心位置Ｂ'の時間位置にあるときに、受光素子１４３ｂの検出位置もＹ色の副走査方向パターン（ハッチングで示す部分）の副走査方向の中央部に到達し、図４（ｂ）の符号Ｑで示すように、センサー出力電圧が最大となる（拡散反射光のセンサー出力電圧が最大となる）。
【００５８】
従って、ＰとＱの差分の出力波形であるＲにおけるセンサー出力電圧は、Ｐの重心位置Ｂ'の時点で最低値を示すことになり、ＰとＲの重心位置が一致する。
その結果、正反射光を検出する黒用反射型トナー濃度センサー１４ａを用いた場合と、正反射光と拡散反射光の差分を検出するカラー用反射型トナー濃度センサー１４ｂを用いた場合とで、出力波形から算出されるＹ色の副走査方向パターンの重心位置に差が生じることはなく、Ｙ色の副走査方向パターンについては、パターン列間位置ずれ誤差量は０となる。又、Ｍ色、Ｃ色もＹ色と同様の特性を有するのでＭ色、Ｃ色についてもＹ色の場合と同様に副走査方向パターンについては、パターン列間位置ずれ誤差量は０となる。
【００５９】
図６（ａ）は、黒用反射型トナー濃度センサー１４ａを用いて検出したＹ色の主走査方向パターン（図３のパターン列ＱａのＹ色の主走査方向パターン）の出力波形の例を示し、図６（ｂ）は、カラー用反射型トナー濃度センサー１４ｂを用いて検出したＹ色の主走査方向パターン（図３のパターン列ＱｂのＹ色の主走査方向パターン）の出力波形の例を示す。両図において、縦軸は各センサーの出力電圧を示し、横軸は時間を示す。
【００６０】
図６（ａ）の符号Ｄ、Ｅ、Ｆは、後述する図７のＹ色の主走査方向パターンに対する黒用反射型トナー濃度センサー１４ａの受光素子１４２ａの検出位置に対応する時間座標上の各時間位置を示す。同様に、図６（ｂ）の符号Ｄ'、Ｅ'、Ｆ'は、後述する図７のＹ色の主走査方向パターンに対するカラー用反射型トナー濃度センサー１４ｂの受光素子１４２ｂ、１４３ｂの検出位置に対応する時間座標上の各時間位置を示す。
【００６１】
図６（ｂ）の符号Ｐは、Ｙ色の主走査方向パターンについての正反射光成分の出力波形を、符号Ｑは、当該パターンについての拡散反射光成分の出力波形を、符号Ｒは、当該パターンについての両者の反射光成分の差分の出力波形（正反射光成分と拡散反射光成分の差分の出力波形）を示す。
図７は、中間転写ベルト１１の像担持面上において主走査方向に対をなすように形成された２つのＹ色の主走査方向パターン（図３のパターン列Ｑａ、ＱｂのＹ色の主走査方向パターン）に対する、黒用反射型トナー濃度センサー１４ａ、カラー用反射型トナー濃度センサー１４ｂの各受光素子の検出位置の相対位置関係を示す模式図である。
図７の左側は、パターン列ＱａのＹ色の主走査方向パターン（ハッチングで示す部分）に対する黒用反射型トナー濃度センサー１４ａの受光素子１４２ａの検出位置の相対位置関係を示し、図７の右側は、パターン列ＱｂのＹ色の主走査方向パターン（ハッチングで示す部分）に対するカラー用反射型トナー濃度センサー１４ｂの受光素子１４２ｂ及び１４３ｂの各検出位置の相対位置関係を示す。
【００６２】
図７の符号１１は、中間転写ベルトを示し、同図の矢印Ｈは、中間転写ベルト１１の回動方向（副走査方向）を示し、各受光素子の検出位置は、中間転写ベルト１１の回動に応じて回動方向と逆方向に相対的に移動する。両図の副走査方向に並んだ各丸印（黒丸印、白丸印）の列Ｌ'、Ｍ'、Ｎ'（列Ｌ'は、受光素子１４２ａの検出位置の列を、列Ｍ'は、受光素子１４３ｂの検出位置の列を、列Ｎ'は、受光素子１４２ｂの検出位置の列をそれぞれ表す。）は、検出位置が当該逆方向（同図の点線矢印で示す方向）に相対的に移動する各移動位置を示している。
【００６３】
同図の符号１４ａは、黒用反射型トナー濃度センサー示し、同図の符号１４ｂは、カラー用反射型トナー濃度センサー１４ｂを示す。同図の符号１４１ａ及び、１４１ｂは、ＬＥＤ発光素子を示し、符号１４２ａ及び符号１４２ｂは、正反射光を受光する受光素子を示し、符号１４３ｂは、拡散反射光を受光する受光素子を示す。
列Ｌ'の黒丸で示す検出位置は、時間座標上の時間位置がＤの位置では、Ｙ色の主走査方向パターン（ハッチングで示す部分）における副走査方向の前端にさしかかる位置にあるため、図６（ａ）に示す出力波形の時間座標上の時間位置Ｄでは、センサー出力電圧はまだ低下していないが、当該時間座標上の時間位置がＥの位置では、Ｙ色の主走査方向パターン（ハッチングで示す部分）における副走査方向の中央部に到達するため、図６（ａ）に示す出力波形の時間座標上の時間位置Ｅでは、センサー出力電圧は低下して最小値に達し、時間位置Ｅが重心位置となる。
【００６４】
さらに、当該時間座標上の時間位置がＦの位置では、Ｙ色の主走査方向パターン（ハッチングで示す部分）における副走査方向後端を通過するため、図６（ａ）に示す出力波形の時間座標上の時間位置Ｆでは、センサー出力電圧は、最大値まで上昇する。このようにして、Ｙ色の主走査方向パターンが黒用反射型トナー濃度センサー１４ａにより検出されると、図６（ａ）に示すような出力波形が得られる。
【００６５】
又、黒用反射型トナー濃度センサー１４ａのＬＥＤ発光素子１４１ａと受光素子１４２ａとＹ色の主走査方向パターンとの間の相対位置関係は、カラー用反射型トナー濃度センサー１４ｂのＬＥＤ発光素子１４１ｂと受光素子１４２ｂとＹ色の主走査方向パターンとの間の相対位置関係と一致するように構成されているので、図７の列Ｎ'の黒丸で示す受光素子１４２ｂの検出位置についても、列Ｌ'の場合と同様に、各検出位置の時間座標上の時間位置が、時間位置Ｄ、Ｅ、Ｆにそれぞれ対応する時間位置であるＤ'、Ｅ'、Ｆ'の各時間位置に順次変わることにより、センサー出力電圧が同様に変化し、図６（ｂ）の符号Ｐに示すように、図６（ａ）に示す出力波形と同じ出力波形が得られる。図７の左右両側のＹ色の主走査方向パターンに位置ずれがない場合には、両者の重心位置ＥとＥ'は一致する。
【００６６】
一方、図７の列Ｎ'の黒丸で示す受光素子１４２ｂの検出位置と列Ｍ'の白丸で示す受光素子１４３ｂの検出位置とは、主走査方向に並ぶように構成されているのに対し、Ｙ色の主走査方向パターンは、主走査方向に対し４５°傾いた方向に形成されているため、両者の検出位置がＹ色の主走査方向パターンにおける副走査方向の中央部に到達するまでの時間に時間差が生じる。
【００６７】
このため、図７に示すように、受光素子１４２ｂの検出位置がＹ色の主走査方向パターン（ハッチングで示す部分）の副走査方向の中央部に到達した時点（時間座標上の時間位置がＥ'の位置にある時点）において、受光素子１４３ｂの検出位置は、まだ当該中央部に到達しておらず、当該時間位置がＥ'の位置にある時点よりも遅く当該中央部に到達する。
【００６８】
このため、ＰとＱの差分の出力波形であるＲにおけるセンサー出力電圧は、図６（ｂ）に示すように、Ｐの重心位置（Ｅ'）とＲの重心位置（Ｇ'）とが一致せず、両者の重心位置間に位置ずれ（符号Δｔで示す位置ずれ）が生じ、パターン列間位置ずれ誤差量は０とはならない。又、Ｍ色、Ｃ色もＹ色と同様の特性を有するのでＭ色、Ｃ色についてもＹ色の場合と同様に主走査方向パターンについては、パターン列間位置ずれ誤差量は０とはならない。
【００６９】
主走査方向に対をなすように形成される同一色で同一パターンのレジストパターンの重心位置間の位置ずれ（以下、「パターン列間位置ずれ誤差」という。）が、主走査方向パターン間、副走査方向パターン間の何れに生じるか、或いは、両者に生じるかについては、受光素子１４２ｂ、１４３ｂの検出位置が並ぶ方向と、各パターンの形成方向との関係により異なる。
【００７０】
例えば、受光素子１４２ｂ、１４３ｂの検出位置が並ぶ方向が主走査方向パターンの形成方向である場合には、本実施の形態の場合とは逆に、副走査方向パターンにパターン列間位置ずれ誤差が生じ、主走査方向パターンについては、パターン列間位置ずれ誤差は生じない。
又、受光素子１４２ｂ、１４３ｂの検出位置が並ぶ方向が、副走査方向パターンの形成方向とも主走査方向パターンの形成方向とも異なる方向である場合には、主走査方向パターン、副走査方向パターンの両者の重心位置についてパターン列間位置ずれ誤差が生じることになる。なお、Ｋ色の主走査方向パターン、副走査方向パターンは、拡散反射光を発生しないので、パターン列間位置ずれ誤差が生じることはない。
【００７１】
このように、受光素子の構成が異なる反射型トナー濃度センサーを用いて、レジスト補正のためのレジストパターンの位置ずれ量の算出を行う場合には、パターン列間位置ずれ誤差が生じるため、両者の構成が同一の場合と同様の方法でレジストパターンの位置ずれ量の算出をおこなうと、パターン列間位置ずれ誤差の影響で正確なレジストパターンの位置ずれ量を得ることができない。
【００７２】
従って、予め製造者側で試験等行い、パターン列間位置ずれ誤差量を決定し、当該誤差量をパターン列間位置ずれ量記憶部６０８に記憶させておくことが必要となる。そして、受光素子の構成が同一の反射型トナー濃度センサーを用いた場合の方法と同様の方法で算出した、主走査方向に対をなす２つの同一色で同一パターンのレジストパターンの重心位置間の位置ずれ量から、当該パターン列間位置ずれ誤差量分を相殺するように両者の重心位置を補正した上で、両者についての位置ずれ量を算出することで、パターン列間位置ずれ誤差の影響をなくし、正確なレジストパターンの位置ずれ量を得ることができる。
【００７３】
パターン列間位置ずれ誤差量は、例えば、主走査方向に対をなすＹ色、Ｍ色、Ｃ色の副走査方向パターン、主走査方向パターンについて、図４（ａ）、（ｂ）、図６（ａ）、（ｂ）に示すような各出力波形をとり、正反射光成分の出力波形の重心位置と、正反射光成分と拡散反射光成分の差分の出力波形の重心位置との差を求め、当該差の平均値をパターン列間位置ずれ誤差量として決定することができる。或いは、Ｙ色、Ｍ色、Ｃ色の違いによる、パターン列間位置ずれ誤差量の差は微少であるので、何れかの色（例えば、Ｙ色）について求めた両者の重心位置間の差をパターン列間位置ずれ誤差量とすることとしてもよい。又、Ｋ色については、拡散反射光が発生しないため、正反射光と、正反射光と拡散反射光の差分の各出力波形の重心位置間に差が生じないのでパターン列間位置ずれ誤差量を０とすることができる。
【００７４】
上記のようにして決定されたＹ、Ｍ、Ｃの各色についての、主走査方向パターン、副走査方向パターンのパターン列間位置ずれ誤差量は、当該パターンと対応付けられてパターン列間位置ずれ量記憶部６０７に記憶される。
図２の説明に戻って、位置ずれ補正量演算部６０８は、黒用反射型トナー濃度センサー１４ａ、カラー用反射型トナー濃度センサー１４ｂよりそれぞれ出力される各色のレジストパターンの出力波形から、走査方向に並んでいる同一色、同一パターンの各レジストパターンの重心位置を算出する。
【００７５】
さらに、位置ずれ補正量演算部６０８は、基準色（Ｋ色）のレジストパターンの位置に対する、重心位置を算出した各色（Ｙ、Ｍ、Ｃの各色）のレジストパターンの位置の位置ずれ量を算出する。図３を例にして具体的に説明する。符号Ｐａ、Ｐｂで示す副走査方向パターンのパターン列（以下、「副走査方向パターン列」という。）については、位置ずれ補正量演算部６０８は、以下のようにして位置ずれ量を算出する。
【００７６】
位置ずれ補正量演算部６０８は、主走査方向に対をなす基準色（Ｋ色）の各副走査方向パターンの位置から対応するパターン列の、重心位置を算出したＹ、Ｍ、Ｃの各色の副走査方向パターンの位置までの各距離を算出する。当該距離は、以下の（１）〜（６）の各式を用いて算出される。ここで、上記各式において用いられる各符号を以下のように定義する。
【００７７】
中間転写ベルト１１の画像形成時における走行速度をＶ、副走査方向パターン列ＰａのＫ、Ｙ、Ｍ、Ｃの各色の副走査方向パターンについて算出された重心位置をそれぞれＫａ、Ｙａ、Ｍａ、Ｃａ、副走査方向パターン列ＰｂのＫ、Ｙ、Ｍ、Ｃの各色の副走査方向パターンについて算出された重心位置をそれぞれＫｂ、Ｙｂ、Ｍｂ、Ｃｂとする。
又、副走査方向パターン列ＰａのＫ色とＹ色間、Ｋ色とＭ色間、Ｋ色とＣ色間の、両者の副走査方向パターン間の距離をそれぞれ、Ｄｋｙａ、Ｄｋｍａ、Ｄｋｃａ、副走査方向パターン列ＰｂのＫ色とＹ色間、Ｋ色とＭ色間、Ｋ色とＣ色間の、両者の副走査方向パターン間の距離をそれぞれ、Ｄｋｙｂ、Ｄｋｍｂ、Ｄｋｃｂとする。
Ｄｋｙａ＝Ｖ×（Ｙａ−Ｋａ）・・・・・（１）
Ｄｋｍａ＝Ｖ×（Ｍａ−Ｋａ）・・・・・（２）
Ｄｋｃａ＝Ｖ×（Ｃａ−Ｋａ）・・・・・（３）
Ｄｋｙｂ＝Ｖ×（Ｙｂ−Ｋｂ）・・・・・（４）
Ｄｋｍｂ＝Ｖ×（Ｍｂ−Ｋｂ）・・・・・（５）
Ｄｋｃｂ＝Ｖ×（Ｃｂ−Ｋｂ）・・・・・（６）
次に位置ずれ補正量演算部６０８は、算出した上記の各距離に基づいて、基準色（Ｋ色）の副走査方向パターンの位置を基準とした場合のＹ、Ｍ、Ｃの各色の副走査方向パターンの位置ずれ量を、各副走査方向パターン列について算出する。
【００７８】
中間転写ベルト１１上に形成されたＹ、Ｍ、Ｃの各色の副走査方向パターンに位置ずれがない場合の、Ｋ色とＹ色間、Ｙ色とＭ色間、Ｍ色とＣ色間の両者の副走査方向パターンの副走査方向の間隔をＤとすると、Ｋ色の副走査方向パターンの位置を基準とした場合における、Ｙ、Ｍ、Ｃの各色の副走査方向パターンの位置ずれ量は、以下の（７）〜（１２）の各式を用いて算出される。ここで、上記各式において用いられる各符号を以下のように定義する。
【００７９】
副走査方向パターン列ＰａのＹ、Ｍ、Ｃの各色の副走査方向パターンの位置ずれ量をそれぞれ、ＤＤｙａ、ＤＤｍａ、ＤＤｃａ、ＤＤｋｃａ、副走査方向パターン列ＰｂのＹ、Ｍ、Ｃの各色の副走査方向パターンの位置ずれ量をそれぞれ、ＤＤｙｂ、ＤＤｍｂ、ＤＤｃｂとする。
ＤＤｙａ＝Ｄ−Ｄｋｙａ・・・・・（７）
ＤＤｍａ＝２Ｄ−Ｄｋｍａ・・・・（８）
ＤＤｃａ＝３Ｄ−Ｄｋｃａ・・・・（９）
ＤＤｙｂ＝Ｄ−Ｄｋｙｂ・・・・・（１０）
ＤＤｍｂ＝２Ｄ−Ｄｋｍｂ・・・・（１１）
ＤＤｃｂ＝３Ｄ−Ｄｋｃｂ・・・・（１２）
本実施の形態では、Ｙ、Ｍ、Ｃの各色の副走査方向パターンが形成される方向（主走査方向）とカラー用反射型トナー濃度センサー１４ｂの受光素子１４２ｂ、１４３ｂの検出位置が並ぶ方向（主走査方向）とが同一方向であるため、パターン列間位置ずれ誤差量は０となる。従って、Ｐａ、ＰｂおけるＹ、Ｍ、Ｃの各色の副走査方向パターンの位置ずれ量の算出工程において、パターン列間位置ずれ誤差量は、考慮されていない。
【００８０】
一方、符号Ｑａ、Ｑｂで示す主走査方向パターンのパターン列（以下、「主走査方向パターン列」という。）については、位置ずれ補正量演算部６０８は、以下のようにして位置ずれ量を算出する。位置ずれ補正量演算部６０８は、主走査方向パターン列ＱｂのＹ、Ｍ、Ｃの各色の主走査方向パターンについて算出した重心位置が、パターン列間位置ずれ量記憶部６０７に記憶されているパターン列間位置ずれ誤差量（ここでは、当該誤差量をＸとする。）だけ、基準色（Ｋ色）について算出した重心位置に近づくように、主走査方向パターン列ＰｂのＹ、Ｍ、Ｃの各色の主走査方向パターンについて算出した重心位置を補正する。
【００８１】
具体的には、主走査方向パターン列ＱｂについてのＫ、Ｙ、Ｍ、Ｃの各色の主走査方向パターンについて算出された重心位置をそれぞれＫｂｂ、Ｙｂｂ、Ｍｂｂ、Ｃｂｂとすると、補正後の各色の主走査方向パターンの重心位置（Ｋ、Ｙ、Ｍ、Ｃの各色の補正後の重心位置をそれぞれＭＫｂｂ、ＭＹｂｂ、ＭＭｂｂ、ＭＣｂｂとする。）が、（１３）〜（１７）の各式で示す重心位置になるように補正する。
ＭＫｂｂ＝Ｋｂｂ・・・・・・（１３）
ＭＹｂｂ＝Ｙｂｂ−Ｘ・・・・（１４）
ＭＭｂｂ＝Ｍｂｂ−Ｘ・・・・（１５）
ＭＣｂｂ＝Ｃｂｂ−Ｘ・・・・（１６）
この補正をすることにより、Ｙ、Ｍ、Ｃの各色の主走査方向パターンの形成される方向とカラー用反射型トナー濃度センサー１４ｂの受光素子１４２ｂ、１４３ｂの検出位置が並ぶ方向とが異なることに起因してＹ、Ｍ、Ｃの各色のＱａとＱｂの主走査方向パターン列間に生じる重心位置の位置ずれ量を相殺することができる。
【００８２】
次に、位置ずれ補正量演算部６０８は、上記の補正後の各重心位置を用いてＫ、Ｙ、Ｍ、Ｃの各色について、副走査方向パターンの位置と主走査方向パターンの位置との間の間隔を、以下の（１７）〜（２４）の各式を用いて算出する。ここで、上記の各式に用いられる各符号を以下のように定義する。
主走査方向パターン列ＱａのＫ色、Ｙ色、Ｍ色、Ｃ色についての上記の各間隔をそれぞれ、ＤＥｋａ、ＤＥｙａ、ＤＥｍａ、ＤＥｃａ、主走査方向パターン列ＱｂのＫ色、Ｙ色、Ｍ色、Ｃ色についての、上記の各間隔をそれぞれ、ＤＥｋｂ、ＤＥｙｂ、ＤＥｍｂ、ＤＥｃｂとする。
【００８３】
又、主走査方向パターン列ＱａのＫ、Ｙ、Ｍ、Ｃの各色の主走査方向パターンについて算出された重心位置をそれぞれＫａａ、Ｙａａ、Ｍａａ、Ｃａａとする。
ＤＥｋａ＝Ｖ×（Ｋａａ−Ｋａ）・・・・・（１７）
ＤＥｙａ＝Ｖ×（Ｙａａ−Ｙａ）・・・・・（１８）
ＤＥｍａ＝Ｖ×（Ｍａａ−Ｍａ）・・・・・（１９）
ＤＥｃａ＝Ｖ×（Ｃａａ−Ｃａ）・・・・・（２０）
ＤＥｋｂ＝Ｖ×（Ｋｂｂ−Ｋｂ）・・・・・（２１）
ＤＥｙｂ＝Ｖ×（ＭＹｂｂ−Ｙｂ）・・・・（２２）
ＤＥｍｂ＝Ｖ×（ＭＭｂｂ−Ｍｂ）・・・・（２３）
ＤＥｃｂ＝Ｖ×（ＭＣｂｂ−Ｃｂ）・・・・（２４）
次に位置ずれ補正量演算部６０８は、算出した上記の各間隔に基づいて、基準色（Ｋ色）の上記の間隔を基準とした場合のＹ、Ｍ、Ｃの各色の主走査方向パターンの位置ずれ量（主走査方向パターン列ＱａのＹ、Ｍ、Ｃの各色の位置ずれ量をそれぞれ、ＥＥｙａ、ＥＥｍａ、ＥＥｃａ、主走査方向パターン列ＱｂのＹ、Ｍ、Ｃの各色の位置ずれ量をそれぞれ、ＥＥｙｂ、ＥＥｍｂ、ＥＥｃｂとする。）を、以下の（２５）〜（３０）の各式を用いて算出する。
【００８４】
なお、主走査方向パターンは、副走査方向に対して４５°傾いた方向に形成されているので、基準色（Ｋ色）についての上記の間隔と、Ｙ、Ｍ、Ｃの各色についての上記の間隔との差は、主走査方向における基準色（Ｋ色）の主走査方向パターンの位置とＹ、Ｍ、Ｃの各色の主走査方向パターンの位置との間の主走査方向の位置ずれ量に等しいことになる。
ＥＥｙａ＝ＤＥｋａ−ＤＥｙａ・・・・・（２５）
ＥＥｍａ＝ＤＥｋａ―ＤＥｍａ・・・・・（２６）
ＥＥｃａ＝ＤＥｋａ―ＤＥｃａ・・・・・（２７）
ＥＥｙｂ＝ＤＥｋｂ−ＤＥｙｂ・・・・・（２８）
ＥＥｍｂ＝ＤＥｋｂ―ＤＥｍｂ・・・・・（２９）
ＥＥｃｂ＝ＤＥｋｂ―ＤＥｃｂ・・・・・（３０）
位置ずれ補正量記憶部６０９は、位置ずれ補正量演算部６０８により算出された、Ｙ、Ｍ、Ｃの各色のレジストパターン（副走査方向パターン及び主走査方向パターン）についての位置ずれ量を記憶する。位置ずれ補正実行部６１０は、位置ずれ補正量記憶部６０９に記憶されている各色のレジストパターンの位置ずれ量に基づいて、露光タイミングなど各色の画像形成のタイミングを補正する。
【００８５】
操作パネル７は、複数の入力キーと液晶表示部を備え、液晶表示部の表面にはタッチパネルが積層されている。タッチパネルからのタッチ入力又は入力キーからのキー入力により、ユーザーからの指示を受取り、制御部６０に通知する。画像読取部８は、スキャナーなどの画像入力装置から構成され、用紙等の記録シートに記載されている文字や図形などの情報を読取り、画像データを形成する。
【００８６】
［３］副走査方向位置ずれ量算出処理の動作
図８は、制御部６０が行う副走査方向位置ずれ量算出処理の動作を示すフローチャートである。制御部６０は、レジストパターンの位置ずれ量の算出を行う時期が到来すると、パターン形成部６０６を介してＲＯＭ６０２に予め記憶されているパターン画像を読み出して、中間転写ベルト１１の像担持面上にＫ、Ｙ、Ｍ、Ｃの各色のレジストパターンのパターン列を副走査方向に２列形成する（ステップＳ８０１）。
【００８７】
ここで、「レジストパターンの位置ずれ量の算出を行う時期」とは、電源オン時、電源オン後、所定の印刷枚数を印刷した時、ユーザーによって補正指示が入力された時などの予めきめられた所定の時期のことをいう。
次に制御部６０は、黒用反射型トナー濃度センサー１４ａ、カラー用反射型トナー濃度センサー１４ｂよりそれぞれ出力される、各パターン列の各色のレジストパターンの出力波形を取得し（ステップＳ８０２）、２列の各パターン列のＫ、Ｙ、Ｍ、Ｃの各色の副走査方向パターンの重心位置を、位置ずれ補正量演算部６０９を介して算出する（ステップＳ８０３）。
【００８８】
そして、制御部６０は、各パターン列について算出した各色の副走査方向パターンの重心位置に基づいて、基準色（Ｋ色）の副走査方向パターンの位置に対する、Ｙ、Ｍ、Ｃの各色の副走査方向パターンの位置の位置ずれ量を位置ずれ補正量演算部６０８を介して算出し（ステップＳ８０４）、算出した各位置ずれ量を、当該位置ずれ量を用いて露光タイミングなど各色の画像形成のタイミングを補正するために、位置ずれ補正量記憶部６１０に記憶させる（ステップＳ８０５）。
【００８９】
［４］主走査方向位置ずれ量算出処理の動作
図９は、制御部６０が行う主走査方向位置ずれ量算出処理の動作を示すフローチャートである。制御部６０は、レジストパターンの位置ずれ量の算出を行う時期が到来すると、パターン形成部６０６を介してＲＯＭ６０２に予め記憶されているパターン画像を読み出して、中間転写ベルト１１の像担持面上にＫ、Ｙ、Ｍ、Ｃの各色のレジストパターンのパターン列を副走査方向に２列形成する（ステップＳ９０１）。
【００９０】
次に制御部６０は、黒用反射型トナー濃度センサー１４ａ、カラー用反射型トナー濃度センサー１４ｂよりそれぞれ出力される、各パターン列の各色のレジストパターンの出力波形を取得し（ステップＳ９０２）、２列の各パターン列のＫ、Ｙ、Ｍ、Ｃの各色の主走査方向パターンの重心位置を、位置ずれ補正量演算部６０９を介して算出する（ステップＳ９０３）。
【００９１】
そして、制御部６０は、カラー用反射型トナー濃度センサー１４ｂから取得した、一方のパターン列のＹ、Ｍ、Ｃの各色の主走査方向パターンの出力波形に基づいて算出した重心位置が、パターン列間位置ずれ量記憶部６０８に記憶されているパターン列間位置ずれ誤差量分だけ、当該パターン列の基準色（Ｋ色）について算出した重心位置に近づくように、当該パターン列のＹ、Ｍ、Ｃの各色の主走査方向パターンについて算出した重心位置を、位置ずれ補正量演算部６０９を介して補正する（ステップＳ９０４）。
【００９２】
さらに制御部６０は、補正量演算部６０９を介して、黒用反射型トナー濃度センサー１４ａから取得したＹ、Ｍ、Ｃの各色の主走査方向パターンの出力波形に基づいて算出した重心位置と、ステップＳ９０４において補正した補正後の重心位置とを用いて各パターン列のＫ、Ｙ、Ｍ、Ｃの各色について、副走査方向パターンの位置と主走査方向パターンの位置との間の間隔を算出し、算出した上記の各間隔に基づいて、当該パターン列の基準色（Ｋ色）についての上記の間隔を基準とした場合の当該パターン列のＹ、Ｍ、Ｃの各色の主走査方向パターンの位置の位置ずれ量を算出する（ステップＳ９０５）。
【００９３】
さらに、制御部６０は、算出した各位置ずれ量を、当該位置ずれ量を用いて露光タイミングなど各色の画像形成のタイミングを補正するために、位置ずれ補正量記憶部６１０に記憶させる（ステップＳ９０６）。
このように、レジストパターンの位置ずれ量の算出において、受光素子数の異なる、黒用反射型トナー濃度センサー１４ａとカラー用反射型トナー濃度センサー１４ｂをそれぞれ用いて、主走査方向に対をなす同一色で同一パターンのレジストパターンの重心位置をそれぞれ算出した場合においても、両者の重心位置間に生じる位置ずれ量が補正により相殺された後に、補正後の重心位置に基づいてＹ、Ｍ、Ｃの各色のレジストパターンの位置ずれ量が算出されるので、同じ２つのカラー用反射型トナー濃度センサー１４ｂを用いて重心位置を算出した場合と同様に、精度よく位置ずれ量を算出することができる。
【００９４】
その結果、２つのカラー用反射型トナー濃度センサー１４ｂを用いた場合よりも受光素子数を少なくすることができ、その分、製造コストを節減することができる。
（変形例）
以上、本発明を実施の形態に基づいて説明してきたが、本発明が上述の実施の形態に限定されないのは勿論であり、以下のような変形例を実施することができる。
【００９５】
（１）本実施の形態では、レジストパターンの色に関わらずパターン列間位置ずれ誤差量を同一とみなして、Ｙ、Ｍ、Ｃ各色のレジストパターンの重心位置を、同じパターン列間位置ずれ誤差量分だけ補正することとしたが、当該誤差量は、レジストパターンに対して照射する光の波長によっては、色間で異なる場合があるので、このような場合には、色毎に予め当該誤差量を決定しておいて、各色に対応するパターン列間位置ずれ誤差量分だけ、当該色のレジストパターンの重心位置を補正するようにすることとしてもよい。
【００９６】
図１０は、照射光の波長と、Ｙ、Ｍ、Ｃの各色の拡散反射率との対応関係を示すグラフである。同図の符号Ｋ、Ｙ、Ｍ、Ｃは、それぞれＫ色、Ｙ色、Ｍ色、Ｃ色についての両者の対応関係を示す。同図に示すように、照射光の波長が８００ｎｍ以上では、Ｙ、Ｍ、Ｃの各色の拡散反射率はほぼ同一であるが、８００ｎｍ未満の波長領域では、色によって拡散反射率の変化の仕方が異なる。この拡散反射率が低くなると、拡散光のパターン列間位置ずれ誤差量への影響力がその分小さくなってゆくので、当該誤差量は少なくなる。
【００９７】
例えば、照射光として９４０ｎｍの波長（同図の点線Ｓで示す波長）の光を用いる場合には、各色間の拡散反射率は、ほぼ同一であるので、レジストパターンの色間で、重心位置の補正に用いるパターン列間位置ずれ誤差量を変える必要はないが、７３０ｎｍの波長（同図の点線Ｔで示す波長）の光を用いる場合には、Ｙ、Ｍ色の拡散反射率（約９５％）に対してＣ色の拡散反射効率は約４３％と半分未満であるので、Ｃ色のレジストパターンに対しては、Ｙ、Ｍ色のレジストパターンの重心位置の補正に用いるパターン列間位置ずれ誤差量の約４５％の誤差量とすることで、同じ誤差量とする場合に比較して、主走査方向パターン列Ｑａ、Ｑｂ間の重心位置の位置ずれ量をより精度よく算出することができる。
【００９８】
このように、拡散反射率がＹ、Ｍ、Ｃの各色間で異なる波長領域の光を照射光として用いる場合には、色毎に拡散反射率に応じたパターン列間位置ずれ誤差量を設定し、各色に対応するパターン列間位置ずれ誤差量で当該色のレジストパターンの重心位置を補正することにより、より精度よくレジストパターンの位置ずれ量を算出することができる。
（２）本実施の形態では、黒用反射型トナー濃度センサー１４ａのＬＥＤ発光素子１４１ａと受光素子１４２ａと当該トナー濃度センサーによって検出される、主走査方向に対をなす同一色で同一パターンのレジストパターンの内の一方との間の相対位置関係は、カラー用反射型トナー濃度センサー１４ｂのＬＥＤ発光素子１４１ｂと受光素子１４２ｂと当該濃度センサーによって検出される、主走査方向に対をなす同一色で同一パターンのレジストパターンの内のもう一方との間の相対位置関係と一致するように、両者のトナー濃度センサーの配置位置が決定されているが、両者の相対位置関係は、不一致であってもよい。
【００９９】
この場合においても、本実施の形態の場合と同様に、予め各色の副走査方向パターン、主走査方向パターンのそれぞれについてパターン列間位置ずれ誤差量を設定しておくことにより、同じ２つのカラー用反射型トナー濃度センサー１４ｂを用いて重心位置を算出した場合と同様に、各色のレジストパターンについて精度よく位置ずれ量を算出することができる。
【０１００】
なお、両者の相対位置関係が一致する場合の方が、パターン列間位置ずれ誤差量を少なくできるので、誤差の影響を少なくすることができ、位置ずれ量の算出精度をより高めることができる。
（３）本実施の形態では、カラー用反射型トナー濃度センサー１４ｂの受光素子１４２ｂ、１４３ｂの検出位置が並ぶ方向が、主走査方向（像担持面の回動方向に直交する方向）になるように構成することとしたが、両者の検出位置が並ぶ方向は、主走査方向と異なる方向であってもよい。
【０１０１】
この場合においても、本実施の形態の場合と同様に、予め各色の副走査方向パターン、主走査方向パターンのそれぞれについてパターン列間位置ずれ誤差量を設定しておくことにより、同じ２つのカラー用反射型トナー濃度センサー１４ｂを用いて重心位置を算出した場合と同様に、各色のレジストパターンについて精度よく位置ずれ量を算出することができる。
【０１０２】
なお、両者の検出位置が並ぶ方向を主走査方向とすることにより、副走査方向パターンについてのパターン列間位置ずれ誤差量を０にすることができので、副走査方向パターンについて誤差の影響をなくすことができ、各色の副走査方向パターンの位置ずれ量の算出精度をより高めることができる。
（４）本実施の形態では、主走査方向パターンの重心位置の補正を、副走査方向に形成された２列の主走査方向パターンのパターン列の内の一方のパターン列（図３のパターン列Ｑｂ）についてのみ行うことにより、受光素子数の異なる、黒用反射型トナー濃度センサー１４ａとカラー用反射型トナー濃度センサー１４ｂを用いて両者のパターン列の主走査方向に対をなす主走査方向パターンの重心位置をそれぞれ検出した場合に、同一の２つの主走査方向パターンの重心位置の検出位置間に生じるパターン列間位置ずれ誤差を相殺することとしたが、当該誤差を相殺する方法は、上記の方法に限定されない。
【０１０３】
すなわち、２つの主走査方向パターンについて算出した各重心位置間の位置ずれ量が、パターン列間位置ずれ誤差量分だけ少なくなるように、検出した各重心位置間の相対位置関係を補正するものであればよく、上記の場合に限定されない。
例えば、２列の主走査方向パターンのパターン列の内のもう一方のパターン列（図３のパターン列Ｑａ）についてのみ行うこととしてもよい。具体的には、パターン列ＱｂのＹ、Ｍ、Ｃの各色の主走査方向パターンについて算出された重心位置Ｙｂｂ、Ｍｂｂ、Ｃｂｂの各重心位置からパターン列間位置ずれ誤差量Ｘを減算して当該重心位置を補正する代わりに、パターン列ＱａのＹ、Ｍ、Ｃの各色の主走査方向パターンについて算出された重心位置Ｙａａ、Ｍａａ、Ｃａａの各重心位置にパターン列間位置ずれ誤差量Ｘを加算する補正を行うこととしてもよい。
【０１０４】
或いは、２列の主走査方向パターンのパターン列の両者に対して以下のように補正することとしてもよい。すなわち、パターン列ＱｂのＹ、Ｍ、Ｃの各色の主走査方向パターンについて算出された重心位置Ｙｂｂ、Ｍｂｂ、Ｃｂｂの各重心位置からパターン列間位置ずれ誤差量Ｘを減算して当該重心位置を補正する代わりに、パターン列Ｑａ、Ｑｂ両者のＹ、Ｍ、Ｃの各色の主走査方向パターンについて算出された重心位置に対し、パターン列Ｑａの各重心位置については、パターン列間位置ずれ誤差量の半分（Ｘ／２）を加算する補正を、パターン列Ｑｂの各重心位置については、パターン列間位置ずれ誤差量の半分（Ｘ／２）を減算する補正をそれぞれ行うこととしてもよい。
【０１０５】
（５）本実施の形態では、レジストパターンを中間転写ベルト１１の像担持体を形成した場合を例にして説明したが、本実施の形態のレジストパターンの位置ずれ量算出方法は、レジストパターンを感光体ドラム上に形成した場合においても本実施の形態の場合と同様にして適用することができる。
【産業上の利用可能性】
【０１０６】
本発明は、プリンター、複写機等の画像形成装置に関し、特に画像形成装置の像担持体の像担持面上に所定形状のレジストパターンを形成してその位置ずれ量を算出し、算出結果に基づいて露光タイミングなど画像形成タイミングを補正するレジスト補正を行う技術として利用できる。
【符号の説明】
【０１０７】
１                      プリンター
３                      画像プロセス部
３Ｙ〜３Ｋ              作像部
４                      給紙部
５                      定着装置
７                      操作パネル
８                      画像読取部
１０                    露光部
１１                    中間転写ベルト
１２                    駆動ローラー
１３                    従動ローラー
１４ａ                  黒用反射型トナー濃度センサー
１４ｂ                  カラー用反射型トナー濃度センサー
２１、３５Ｙ            クリーナー
３１Ｙ                  感光体ドラム
３２Ｙ                  帯電器
３３Ｙ                  現像器
３４Ｙ                  １次転写ローラー
４１                    給紙カセット
４２                    繰り出しローラー
４３                    搬送路
４４                    タイミングローラー
４５                    ２次転写ローラー
４６                    ２次転写位置
５１                    加熱ローラー
５２                    加圧ローラー
５３                    温度センサー
６０                    制御部
７１                    排出ローラー
７２                    排紙トレイ
【図１】
2013213916.tif 000003
【図２】
2013213916.tif 000004
【図３】
2013213916.tif 000005
【図４】
2013213916.tif 000006
【図５】
2013213916.tif 000007
【図６】
2013213916.tif 000008
【図７】
2013213916.tif 000009
【図８】
2013213916.tif 000010
【図９】
2013213916.tif 000011
【図１０】
2013213916.tif 000012
【図１１】
2013213916.tif 000013